(57)【特許請求の範囲】
【請求項１】
基板部に結束部材を巻回させて電線を該結束部材で固定させる電線クランプにおいて、前記基板部の幅方向中央に、前記電線の長手方向に沿う断面山型状の凸状部が形成され、該凸状部の左右両側に電線が分離して配置され、該凸状部の電線長手方向の前後両端側で該基板部の左右両側に電線ガイド部が各一対突設され、各電線ガイド部が内側に湾曲面を有し、前後一対の該電線ガイド部の間に前記結束部材が配置され、左右一対の該電線ガイド部の該湾曲面の内幅よりも該基板部の外幅が広く設定されたことを特徴とする電線クランプ。
【請求項２】
前記基板部の幅方向両端側に、前記凸状部と同方向に傾斜した傾斜面が形成され、前記結束部材が該傾斜面と前記電線とに同時に接触することを特徴とする請求項１記載の電線クランプ。
【請求項３】
前記電線ガイド部が前記凸状部よりも高く突出されたことを特徴とする請求項１又は２記載の電線クランプ。
【請求項４】
前記凸状部の傾斜面に前記電線ガイド部の内側の湾曲面が交差して位置し、該凸状部の傾斜面と該電線ガイド部の内側の湾曲面とのなす角度が、該凸状部の傾斜面と前記基板部とのなす角度よりも小さく、該凸状部の傾斜面と該電線ガイド部の内側の湾曲面とに前記電線が同時に接触することを特徴とする請求項１〜３の何れか１項に記載の電線クランプ。
【発明の詳細な説明】
【０００１】
【発明の属する技術分野】
本発明は、バンド等の結束手段で電線を確実に保持させることのできる電線クランプに関するものである。
【０００２】
【従来の技術】
図６は従来の電線クランプの一形態を示すものである。
この電線クランプ５１は、複数本の電線５２であるワイヤハーネスをバンド５３やテープ巻きで固定させる合成樹脂製の基板部５４と、基板部５４の一端側に一体に形成され、車両のパネル等の孔（図示せず）に挿入係止される係止用クリップ５５とで構成されている。
【０００３】
基板部５４の他端には抜け止め用の突条５６が一体に形成され、ワイヤハーネス５２に基板部５４を位置ずれなく固定可能である。基板部５４には複数本の電線５２のみならず、一本の電線を固定することも可能である。バンド５３は合成樹脂を材料として帯状に形成され、バンド本体５７と、バンド本体５７の基端に一体に設けられた係止用の枠部５８とで構成されている。
【０００４】
【発明が解決しようとする課題】
しかしながら、上記従来の電線クランプ５１にあっては、電線５２をテープ巻きで固定する場合に多くの工数を必要とし、且つテープ巻きの自動化が困難であるために、作業の効率化を図るべく合成樹脂製のバンド５３を用いて電線５２を固定する訳であるが、その場合には、図７で示す如く太径のワイヤハーネス５２や電線に対しては基板部５４に強く固定することができるが、図８に示す如く細径の電線５９に対しては、バンド５３が扁平に締まりにくいために、バンド５３と電線５２との間に隙間６０を生じやすく、電線５９の保持力が弱く、保持が十分に行われずに、電線５９がガタついたりして摩耗や破損を起こすという懸念があった。また、基板部５４が平坦で電線５９の仮置きがしにくく、電線５９の固定作業性が悪いという問題もあった。
【０００５】
本発明は、上記した点に鑑み、太い電線は勿論のこと、細い電線でも強い力でガタつきなくしっかりと締め付け固定することができ、しかも電線の固定作業性を高めることのできる電線クランプを提供することを目的とする。
【０００６】
【課題を解決するための手段】
上記目的を達成するために、本発明の請求項１に係る電線クランプは、基板部に結束部材を巻回させて電線を該結束部材で固定させる電線クランプにおいて、前記基板部の幅方向中央に、前記電線の長手方向に沿う断面山型状の凸状部が形成され、該凸状部の左右両側に電線が分離して配置され、該凸状部の電線長手方向の前後両端側で該基板部の左右両側に電線ガイド部が各一対突設され、各電線ガイド部が内側に湾曲面を有し、前後一対の該電線ガイド部の間に前記結束部材が配置され、左右一対の該電線ガイド部の該湾曲面の内幅よりも該基板部の外幅が広く設定されたことを特徴とする。
上記構成により、基板部の幅方向中央に凸状部があるから、電線が基板部の中央に位置することがなく、例えば二本の電線が凸状部の両側に離れて位置するから、バンド等の結束手段（結束部材）で電線を基板部に結束する際に、結束手段が扁平にならず略長円形ないし略三角形になって基板部の中央に隙間を生じても、結束手段の両側の傾斜状の部分が電線に接して電線を基板部に確実に押圧保持する。また、特に細径の電線を用いた場合に、電線が凸状部で押し上げられて、バンド等の結束手段と電線との間の隙間が防止され、電線が結束手段で確実に締め付け保持される。また、電線が基板部の表面と凸状部の傾斜面との二面で同時に接して位置決めされるから、電線の位置ずれが防止され、電線の保持性が向上する。
また、凸状部と電線ガイド部との間に電線が挟まれるようにして位置し、電線の外側への移動が電線ガイド部で阻止され、電線の内側への移動が凸状部で阻止されて、電線の保持性及び位置決め性が向上する。また、電線ガイド部の内側に電線を容易に仮置き（セット）することができ、結束手段での電線の保持作業が容易化する。
また、結束手段で電線を基板部に固定した際に、電線ガイド部の内側の湾曲面に電線が強く押接し、電線に内向きの反力が作用して、電線の保持力が高まる。
また、両側の電線ガイド部の間に複数本の電線が確実に仮置きされ、次いで両側の電線ガイド部の間で複数本の電線が結束手段で確実に締め付け保持される。各電線には締め付け中心に向かう反力が作用し、電線の保持性が向上する。
【０００７】
請求項２に係る電線クランプは、請求項１に係る電線クランプにおいて、前記基板部の幅方向両端側に、前記凸状部と同方向に傾斜した傾斜面が形成され、前記結束部材が該傾斜面と前記電線とに同時に接触することを特徴とする。
【００１０】
請求項３に係る電線クランプは、請求項１又は２に係る電線クランプにおいて、前記電線ガイド部が前記凸状部よりも高く突出されたことを特徴とする。
上記構成により、電線ガイド部による電線の仮置き性が向上すると共に、電線の本数や径の増加に対応できて、電線の保持性が向上する。
【００１２】
請求項４に係る電線クランプは、請求項１〜３の何れか１項に係る電線クランプにおいて、前記凸状部の傾斜面に前記電線ガイド部の内側の湾曲面が交差して位置し、該凸状部の傾斜面と該電線ガイド部の内側の湾曲面とのなす角度が、該凸状部の傾斜面と前記基板部とのなす角度よりも小さく、該凸状部の傾斜面と該電線ガイド部の内側の湾曲面とに前記電線が同時に接触することを特徴とする。
上記構成により、特に細径の電線が電線ガイド部と凸状部との交差部上に位置して、凸状部の傾斜面と電線ガイド部の湾曲面とに同時に二点接触するから、電線の位置決め性及び保持性が向上する。
【００１３】
【発明の実施の形態】
以下に本発明の実施の形態を図面に基づいて詳細に説明する。
図１〜図２は、本発明に係る電線クランプにおいて少数本の細径の電線を保持させた実施形態を示すものである。
【００１４】
図１において符号１は電線３を保持するための基板部（電線保持部）、２は、基板部１の一方に設けられた係止用クリップをそれぞれ示す。基板部１の表面側に沿って細径な電線３が真直に載置され、基板部１の長手方向の前半側において電線３が合成樹脂製のバンド（結束手段）４で巻回固定され、且つバンド４の前後において高く突出した各電線ガイド部５の内側に沿って位置している。係止用クリップ２は基板部１の後半側において基板部１の裏面側に突出されている。
【００１５】
図１のＡ−Ａ断面を図２に示す如く、基板部１の表面側の幅方向中央に断面山型状の凸状部６が一体に突出形成され、凸状部６の両側に細径な電線３，３が一本づつ配置されている。凸状部６の突出高さは基板部１の板厚と較べて同程度ないしは若干小さい程度であり、且つ細径な電線３の径と較べて同程度ないしやや小さい程度である。凸状部６の両側の傾斜面６ａはなだらかな比較的緩い勾配で形成され、両傾斜面６ａは基板部１の表面１ａに小さな傾斜角度で交差している。凸状部６の横幅は基板部１の横幅のほぼ１／３程度ないしはそれよりもやや大きい程度である。凸状部６の頂部６ｂは滑らかに湾曲している。基板部１の両端は上向きのテーパ状に面取り（７）されている。
【００１６】
凸状部６の傾斜面６ａと基板部１の表面との交差部８上に細径な電線３が位置し、電線３の外周面の一部が凸状部６の傾斜面６ａに接し、他の一部が基板部１の表面１ａに接している。凸状部６によって少なくとも二本の電線３が左右両側に分離されている。
【００１７】
このように、基板部１の中央のスペースが凸状部６によって埋められて、電線３が基板部１の中央ではなく両側寄りに位置することで、バンド４を巻回した際に、バンド４が略長円形ないし略三角形になってバンド４の両側の傾斜部分４ａの内周面が両側の電線３の外周面に強く接して、細径な電線３の保持が確実に行われる。この際、基板部両側のテーパ状の傾斜面７はバンド４をなるべく扁平に変形させることに寄与している。
【００１８】
また、凸状部６の電線径方向外側に位置する電線ガイド部５によって細径な電線３が凸状部６の傾斜面６ａと電線ガイド部５の内側の湾曲面５ａとに接して位置ずれなく安定に保持されている。電線ガイド部５については後で詳しく説明する。
【００１９】
バンド４は従来同様に帯状の本体９と、本体９の基端に一体に設けられた係止用の枠部４０とで構成され、例えば本体９に長手方向に複数の突起（図示せず）が配列され、枠部４０内に、突起に係合する可撓性の係止爪（図示せず）が突設されている。
【００２０】
図２で符号１０は上側の基板部１に下側の基板部１１を開閉自在に連結する薄肉のヒンジ部、１２は下側の基板部１１を上側の基板部１に係止させるための係合枠片をそれぞれ示す。
【００２１】
図１に戻って、下側の基板部１１に従来同様の係止用クリップ２が一体に形成されている。係止用クリップ２は基板部１１から突出した支柱部１３（図４）と、支柱部１３の先端から傾斜して形成された一対の可撓性の係止爪１４と、係止爪１４に対向して位置する皿ばね状の弾性部１５とで構成されている。一対の係止爪１４を車両等のパネルの孔（図示せず）に挿入し、係止爪１４と弾性部１５との間にパネル（図示せず）を挟着させることで、電線クランプ５０がパネルに固定される。
【００２２】
なお、図２において凸状部６の両側でなく何れか片側のみに細径の電線３を配置した場合にも、その電線３が凸状部６の片側の傾斜面６ａに接して押し上げられるから、バンド４による電線３の締付保持を確実に行うことができる。勿論、凸状部６の左右両側に少なくとも各一本の電線３を分離して配置した場合に、一層高い電線保持力が発揮されることは言うまでもない。
【００２３】
図３〜図５は、本発明に係る電線クランプ５０において多数本の電線１６（本例では細線と太線が混合している）を保持させた実施形態を示すものである。電線クランプ５０自体の構造は図１〜図２と同様であるので、同一の符号を用いて主要部以外の説明は省略する。
【００２４】
図３の如く、上側の基板部１の表面側に多数本の電線１６が配置され、基板部１の裏面側で下側の基板部１１に複数本の電線１７が並列に配索された状態で、両群の電線１６，１７が上側の基板部１の前後（電線方向の前後）の電線ガイド部５，５の間で一本のバンド４で結束固定される。下側の電線１７は本発明と特に関係はない。上側の基板部１には前後の電線ガイド部５，５の間で凸状部６が電線長手方向に設けられている。
【００２５】
図４に示す如く、上側の基板部１の前端１ｂの両側部分に略山形状の左右一対の電線ガイド部５，５が中央の凸状部６よりも高く突出形成され、図３，図５の如く、基板部１の長手方向中間部において前端側の電線ガイド部５，５に対向して同じ型状及び高さの一対の電線ガイド部５，５が突出形成されている。前後各一対の電線ガイド部５，５の間で且つ左右各一対の電線ガイド部５，５の中間に凸状部６が位置している。本形態の電線ガイド部５の突出高さは凸状部６の突出高さのほぼ三倍程度であり、電線ガイド部５の横幅は凸状部６の横幅のほぼ二倍程度である。
【００２６】
図４の如く電線ガイド部５は内側の湾曲面５ａと外側の傾斜面５ｂと湾曲状の頂部５ｃとを有している。外側の傾斜面５ｂは図５の如く基板部１の両側端１ｃよりも外側に突出して、前後の電線ガイド部５，５の突出部分５ｄの間に凹部１８が形成され、凹部１８の間でバンド４を容易に装着可能である。電線ガイド部５の内側の湾曲面５ａは凸状部６の山型状の傾斜面６ａにほぼ湾曲形状に交差している。図４の形態では電線ガイド部５の正面壁（符号１ｂで代用）と一体に凸状部６を形成しているが、正面壁１ｂの直近（内側面）で凸状部６を終端させることも可能である。
【００２７】
図４の如く電線ガイド部５の内側の湾曲面５ａは真直な傾斜面（図示せず）の場合に較べて若干凹状に切欠され、且つ中央の凸状部６よりも高く突出しており、複数の電線１６を外側に落とすことなく（電線１６の逃げやばらけを起こすことなく）、左右の電線ガイド部５，５の内側に安定に仮置き可能である。それによりバンド締め作業を容易に行うことができる。仮置き後にバンド４を締めて電線１６を作業性良く保持（固定）させることができる。
【００２８】
バンド４を締めることで電線１６が電線ガイド部５の内側の湾曲面５ａに押接して、湾曲面５ａを外向きに強く押圧することで、その反力で電線１６が内向きに強く押し返されて、バンド４の内側に高い保持力で安定に保持される。また、中央の凸状部６は電線１６を押し上げるから、前記実施形態と同様に電線１６とバンド４との間に隙間が生じず、バンド４による電線１６の固定が高い保持力で確実に行われる。電線１６が電線ガイド部５の内側の湾曲面５ａや凸状部６の山型の傾斜面６ａと広い面積で接触するから、電線保持の信頼性が向上する。
【００２９】
図４で下側の基板部１１の内側の凹部１９内に複数の電線１７（図３）が並列に配置され、図３の如く上側の電線１６と共にバンド４で締め付け固定される。図５の如く上側の基板部１の前半に前後各一対の電線ガイド部５，５と幅方向中央の凸状部６とが配置され、上側の基板部１の後半に薄肉のヒンジ部１０を介して下側の基板部１１が開閉自在に連結されている。ヒンジ部１０とは１８０゜反対側において図３の如く上側の基板部１に係合枠片（係止手段）１２が垂下形成され、下側の基板部１１に、係合枠片１２に対する係止突起（係止手段）２０が設けられている。下側の基板部１１に係止用クリップ２が設けられている。
【００３０】
複数本の電線１６を電線ガイド部５，５に沿って仮置きさせ、バンド４を締めて電線１６を基板部１に固定させ、その後、係止用クリップ２を車両のパネルの孔（図示せず）に挿入係合させることで、複数本の電線１６すなわちワイヤハーネスが結束された状態で効率的にパネルに固定される。
【００３１】
なお、上記電線ガイド部５の内側の湾曲面５ａに代えて真直な傾斜面や略「く」の字状に屈曲した傾斜面（図示せず）を形成することも可能である。また、電線ガイド部５を基板部１の両側ではなく片側のみに設けることも可能である。また、合成樹脂製のバンド４に代えて金属製のバンドを用いることも可能である。バンド４の形状は適宜設定可能である。また、本発明は、下側の基板部１１や下側の電線１７を有しない電線クランプとしても適用可能である。また、係止用クリップ２に代えて基板部１をボルト等の他の固定手段（図示せず）で車両のパネル等に固定することも可能である。
【００３２】
【発明の効果】
以上の如く、請求項１記載の発明によれば、例えば二本の細径な電線が凸状部の両側に離れて位置するから、バンド等の結束手段（結束部材）で電線を基板部に結束する際に、結束手段が扁平にならず略長円形ないし略三角形になって基板部の中央に隙間を生じても、結束手段の両側の傾斜状の部分が電線に接して電線を基板部に確実に押圧保持する。これにより、細径の電線を少数本保持する場合でも、バンド等の結束手段で電線を確実に保持させることができる。また、細径の電線を用いた場合に、電線が凸状部で押し上げられて、バンド等の結束手段と電線との間の隙間が防止されるから、これによっても電線の保持性が向上する。また、電線が基板部の表面と凸状部の傾斜面との二面で同時に接して位置決めされるから、電線の位置ずれが防止され、電線の保持性が向上する。
また、凸状部と電線ガイド部との間に電線が挟まれるようにして位置し、電線の外側への移動が電線ガイド部で阻止され、電線の内側への移動が凸状部で阻止されるから、電線の保持性及び位置決め性が向上する。また、電線ガイド部の内側に電線を容易に仮置き（セット）することができるから、結束手段での電線の保持作業が容易化し、作業性が向上する。また、電線ガイド部による電線の仮置き性が向上すると共に、電線の本数や径の増加に対応でき、多数本の電線を強い保持力で確実に保持させることができる。また、結束手段で電線を基板部に固定した際に、電線ガイド部の内側の湾曲面に電線が強く押接し、電線に内向きの反力が作用して、電線の保持力が高まるから、電線の保持性が向上する。また、両側の電線ガイド部の間に複数本の電線を簡単且つ確実に仮置きでき、且つ両側の電線ガイド部の間で複数本の電線を結束手段で確実に締め付け保持させることができる。
【００３３】
請求項２記載の発明によれば、基板部の両側の傾斜面が結束手段であるバンドをなるべく扁平に変形させることに寄与し、細径な電線の保持が確実に行われる。
【００３６】
請求項３記載の発明によれば、電線ガイド部による電線の仮置き性が向上すると共に、電線の本数や径の増加に対応でき、多数本の電線を強い保持力で確実に保持させることができる。
【００３８】
請求項４記載の発明によれば、特に細径の電線が電線ガイド部と凸状部との交差部上に位置して、凸状部の傾斜面と電線ガイド部の湾曲面とに同時に二点接触するから、電線の位置決め性及び保持性が向上する。
【図面の簡単な説明】
【図１】本発明に係る電線クランプの一実施形態を示す側面図である。
【図２】同じく電線クランプに少数本の細径の電線を保持させた状態を示す図１のＡ−Ａ断面図である。
【図３】電線クランプに多数本の電線を保持させた状態を示す側面図である。
【図４】同じく多数本の電線を保持させた電線クランプを示す正面図である。
【図５】同じく電線クランプを示す平面図である。
【図６】従来の電線クランプの一形態（太い電線ないしワイヤハーネスを保持した状態）を示す側面図である。
【図７】図６のＢ−Ｂ断面図である。
【図８】同じく少数の細い電線を保持しようとした状態を示す断面図である。
【符号の説明】
１        基板部
３，１６  電線
４        結束手段
５        電線ガイド部
５ａ      湾曲面
６        凸状部
６ａ      傾斜面
５０      電線クランプ
【図１】
0004132752.tif 000002
【図２】
0004132752.tif 000003
【図３】
0004132752.tif 000004
【図４】
0004132752.tif 000005
【図５】
0004132752.tif 000006
【図６】
0004132752.tif 000007
【図７】
0004132752.tif 000008
【図８】
0004132752.tif 000009